(57)【要約】【課題】孔版印刷における製版工程の途中で製版が中断された場合において、その製版を製版中断時の状態から再開することが可能か否かを適切に判断すると共に、製版再開にかかる製版マスタの品質を保証すること。【解決手段】まず、原稿画像を副走査方向に画像有領域と画像無領域とに分割することが可能か否かを判定し、可能な場合には分割された領域毎に製版を行う。そして、画像有領域の製版動作中に製版中断要因が発生した場合であっても、その中断要因が製版に関係しない中断要因であれば即座に製版を中断するのではなく、製版中断要因発生時において製版中の分割領域の残りの部分について最後まで製版を行ってから製版を中断する。【選択図】図４
2013193414.tif 000002
【特許請求の範囲】
【請求項１】
孔版印刷において製版マスタとなるマスタ部材に対して原稿画像の画像部分に対応する部分を穿孔することにより製版を行う穿孔製版装置であって、
前記原稿画像を、前記マスタ部材に対して穿孔を行う際の副走査方向において前記画像部分を含む画像有領域と前記画像部分を含まない画像無領域とに分割することができるか否か判定する分割可否判定部と、
前記原稿画像を前記画像有領域と前記画像無領域とに分割することができると判定された場合であって、前記製版を行っている途中で製版を中断させる製版中断要因が発生した場合に、前記製版中断要因の発生時において前記画像有領域の製版中であるか前記画像無領域の製版中であるか判定する製版領域判定部と、
前記製版中断要因の発生時において前記画像有領域の製版中であると判定された場合に、前記製版中断要因の発生時において製版中の画像有領域の未製版部分の製版を継続して行うことができるか否か判定する継続製版判定部と、
前記製版中断要因の発生時において製版中の画像有領域の未製版部分の製版を継続して行うことができると判定された場合に、前記未製版部分の製版を継続して行うように制御する継続製版制御部と、
を備えることを特徴とする穿孔製版装置。
【請求項２】
発生した前記製版中断要因が前記画像有領域の製版動作に関係する部分の製版中断要因であるか否か判定する製版中断要因判定部を備え、
前記継続製版制御部は、発生した前記製版中断要因が前記画像有領域の製版動作に関係する部分の製版中断要因ではないと判定された場合に、前記製版中断要因の発生時において製版中の画像有領域の製版を継続して行うように制御することを特徴とする請求項１に記載の穿孔製版装置。
【請求項３】
前記継続製版判定部は、前記製版中断要因の発生時において製版中の画像有領域の未製版部分の前記副走査方向の長さに基づいて前記未製版部分の製版を継続して行うことができるか否か判定することを特徴とする請求項１又は２に記載の穿孔製版装置。
【請求項４】
前記継続製版制御部は、前記製版中断要因の発生時において前記画像無領域の製版中であると判定された場合に、前記製版を中断するように制御することを特徴とする請求項１乃至３いずれか１項に記載の穿孔製版装置。
【請求項５】
前記継続製版制御部は、発生した前記製版中断要因が製版動作に関係する部分の製版中断要因であると判定された場合に、前記製版を中断するように制御することを特徴とする請求項１乃至４いずれか１項に記載の穿孔製版装置。
【請求項６】
前記製版が中断された際に前記画像有領域の製版中であったか否か判定し、若しくは、前記製版を行っている途中で電源遮断が発生した際に前記画像有領域の製版中であったか否か判定する製版再開判定部と
前記製版が中断された際に前記画像有領域の製版中でなかったと判定された場合、若しくは、前記製版を行っている途中で電源遮断が発生した際に前記画像有領域の製版中でなかったと判定された場合には、前記製版を中断したときの状態、若しくは、前記電源遮断が発生したときの状態から前記製版を再開するように制御する製版再開制御部と、
を備えることを特徴とする請求項１乃至５いずれか１項に記載の穿孔製版装置。
【請求項７】
前記製版再開制御部は、前記製版が中断された際に前記画像有領域の製版中であったと判定された場合、若しくは、前記製版を行っている途中で電源遮断が発生した際に前記画像有領域の製版中であったと判定された場合には、前記製版を中断したときの状態、若しくは、前記電源遮断が発生したときの状態から前記製版を再開しないように制御することを特徴とする請求項１乃至６いずれか１項に記載の穿孔製版装置。
【請求項８】
孔版印刷において製版マスタとなるマスタ部材に対して原稿画像の画像部分に対応する部分を穿孔することにより製版を行う穿孔製版装置であって、
前記原稿画像を、前記マスタ部材に対して穿孔を行う際の副走査方向において前記画像部分を含む画像有領域と前記画像部分を含まない画像無領域とに分割することができるか否か判定する分割可否判定部と、
前記原稿画像を前記画像有領域と前記画像無領域とに分割することができると判定された場合であって、前記製版を行っている途中で電源遮断が発生した場合に、前記電源遮断の発生時において前記画像有領域の製版中であったか否か判定する製版再開判定部と、
前記電源遮断の発生時において前記画像有領域の製版中でなかったと判定された場合に、前記電源遮断が発生したときの状態から前記製版を再開するように制御する製版再開制御部と、
を備えることを特徴とする穿孔製版装置。
【請求項９】
前記製版再開制御部は、前記電源遮断の発生時において前記画像有領域の製版中であったと判定された場合に、前記電源遮断が発生したときの状態から前記製版を再開しないように制御することを特徴とする請求項８に記載の穿孔製版装置。
【請求項１０】
孔版印刷において製版マスタとなるマスタ部材に対して原稿画像の画像部分に対応する部分を穿孔することにより製版を行う穿孔製版装置の制御方法であって、
前記原稿画像を、前記マスタ部材に対して穿孔を行う際の副走査方向において前記画像部分を含む画像有領域と前記画像部分を含まない画像無領域とに分割することができるか否か判定し、
前記原稿画像を前記画像有領域と前記画像無領域とに分割することができると判定された場合であって、前記製版を行っている途中で製版を中断させる製版中断要因が発生した場合に、前記製版中断要因の発生時において前記画像有領域の製版中であるか前記画像無領域の製版中であるか判定し、
前記製版中断要因の発生時において前記画像有領域の製版中であると判定された場合に、前記製版中断要因の発生時において製版中の画像有領域の未製版部分の製版を継続して行うことができるか否か判定し、
前記製版中断要因の発生時において製版中の画像有領域の未製版部分の製版を継続して行うことができると判定された場合に、前記未製版部分の製版を継続して行うように制御することを特徴とする穿孔製版装置の制御方法。
【発明の詳細な説明】
【技術分野】
【０００１】
本発明は、穿孔製版装置及び穿孔製版装置の制御方法に関し、特に、穿孔製版装置の製版中断後の製版再開に関する。
【背景技術】
【０００２】
近年、情報の電子化が推進される傾向にあり、電子化された情報の出力に用いられるプリンタや複写機、ファクシミリ及び書類の電子化に用いるスキャナ等の画像形成装置は欠かせない機器となっている。このような画像形成装置は、撮像機能、画像形成機能及び通信機能等を備えることにより、プリンタ、複写機、ファクシミリ、スキャナとして利用可能な複合機として構成されることが多い。
【０００３】
上述した複合機においては、孔版印刷と呼ばれる印刷方法を利用した印刷装置（以下、「孔版印刷装置」とする）が知られ普及している。このような孔版印刷装置は、記録媒体に対して印刷を行う際にはまず、製版マスタの基となるマスタに対して穿孔製版を行うことにより、インキが通過できる小孔の集合からなる画像部とインキ遮蔽層の非画像部とから構成される製版マスタを作成する製版工程を行う。
【０００４】
そして、製版工程が終了すると、上記孔版印刷装置は、表面にインキが塗布され回転軸が固定されたインキローラを、その回転軸を中心に回転させながら、完成した製版マスタと記録媒体とを重ね合わせて圧接する。このような動作を行うことにより、上記孔版印刷装置は、製版マスタの画像部の小孔からインキを記録媒体に押し出すことで記録媒体に画像形成を行う印刷工程を行うようになっている。こうような孔版印刷は、他の印刷法（凸版印刷や平面印刷等）では困難な曲面印刷が可能なため、成形済みの記録媒体にも印刷できることを特徴としている。
【０００５】
このような孔版印刷装置においては、その原理上、原稿毎に製版マスタを作成しなければならず、その上、その製版工程に要する時間の全工程時間に対する割合が高く、さらに、製版マスタの基となるマスタのコストの全印刷コストに対する割合が高い。従って、このような孔版印刷装置においては、所望する原稿とは異なる原稿の製版マスタを誤って作成してしまった場合には時間的・コスト的損失が大きくなるといった問題がある。
【０００６】
そこで、所望する原稿とは異なる原稿の製版マスタを誤って作成してしまわないように、孔版印刷装置に備えられている表示装置や、ネットワーク等により接続されたＰＣ（Ｐｅｒｓｏｎａｌ  Ｃｏｍｐｕｔｅｒ）等の外部機器に備えられている表示装置のプレビュー画面で製版マスタのイメージを確認することができる孔版印刷装置が既に知られている。
【０００７】
しかしながら、このような孔版印刷装置においては、所望通りの製版マスタの作成ではあっても、突発的な異常発生や電源遮断等によりその製版工程の途中で製版が中断されて、その結果、製版が失敗に終わった場合には、上記と同様の理由から、他の印刷法（凸版印刷や平面印刷等）を利用した印刷装置に比較して、時間的・コスト的損失が大幅に増大してしまうといった問題がある。
【０００８】
そこで、このような問題を解決するものとして、エンコーダやステッピングモータからのステップ数、各駆動部の動作の有無などから孔版印刷装置がどのような動作を行っているかを逐一把握して逐次ＲＡＭ（Ｒａｎｄｏｍ  Ａｃｃｅｓｓ  Ｍｅｍｏｒｙ）へ記憶し、孔版印刷装置の動作中にスイッチオフや停電等により電源が遮断された場合であっても、再度電源を投入した際にＲＡＭに記憶されている電源遮断時の状態を呼び出すことにより、電源遮断時の状態に復帰して動作を継続することができる技術が開示されている（例えば、特許文献１）。
【０００９】
特許文献１に記載の技術によれば、突発的な異常発生や電源遮断等により製版工程の途中で製版が中断された場合であっても、異常発生原因の解消後や電源の再投入後に製版中断時の状態に復帰してその状態から製版を再開することができるので、製版の失敗を防ぐことができる。
【発明の概要】
【発明が解決しようとする課題】
【００１０】
ところで、孔版印刷においては、その特性上、マスタへの画像部分の穿孔中に製版が中断されてしまうと、製版中断時に穿孔を行っていた部分だけが他の穿孔部分と比べて孔の大きさが異なってしまう。
【００１１】
従って、特許文献１に記載の方法では、マスタへの画像部分の穿孔中に製版が一旦中断されてしまうと、その後に、製版中断時の状態に復帰してその状態から製版を再開したとしても、製版中断時に穿孔していた部分だけが、他の正常に穿孔された部分と比べて孔の大きさが異なってしまい、上記画像部分において不連続な部分が生じてしまうことになる。
【００１２】
即ち、特許文献１に記載の方法では、マスタへの画像部分の穿孔中に製版が一旦中断されてしまうと、その後に、製版中断時の状態に復帰してその状態から製版を再開したとしても、完成した製版マスタの品質が低下してしまうといった問題がある。
【００１３】
また、特許文献１に記載の方法では、完成した製版マスタに上述した理由により不連続な部分が生じてその製版マスタの品質が低下してしまい、その品質の低下が許容できない程度である場合には、最後まで製版を行ったにもかかわらず、結局、製版をやり直さざるを得ないため、製版時間とマスタが無駄になってしまうといった問題がある。
【００１４】
また、特許文献１に記載の方法では、完成した製版マスタに上述した理由により不連続な部分が生じてその製版マスタの品質が低下してしまい、そのことに気付かずにその製版マスタを用いて印刷を行ってしまった場合には、全ての印刷に対してその不連続な部分が影響してしまうことになり、印刷結果の品質も低下してしまうことになる。
【００１５】
さらに、特許文献１に記載の方法では、上記影響による印刷結果の品質の低下が許容できない程度である場合には、製版だけではなく全印刷もやり直さなければならないため、記録媒体やインキ、エネルギー等の資源が無駄になってしまうといった問題がある。
【００１６】
本発明は、このような課題を解決するためになされたものであり、孔版印刷における製版工程の途中で製版が中断された場合において、その製版を製版中断時の状態から再開することが可能か否かを適切に判断すると共に、製版再開にかかる製版マスタの品質を保証することを目的とする。
【課題を解決するための手段】
【００１７】
上記課題を解決するために、本発明の一態様は、孔版印刷において製版マスタとなるマスタ部材に対して原稿画像の画像部分に対応する部分を穿孔することにより製版を行う穿孔製版装置であって、前記原稿画像を、前記マスタ部材に対して穿孔を行う際の副走査方向において前記画像部分を含む画像有領域と前記画像部分を含まない画像無領域とに分割することができるか否か判定する分割可否判定部と、前記原稿画像を前記画像有領域と前記画像無領域とに分割することができると判定された場合であって、前記製版を行っている途中で製版を中断させる製版中断要因が発生した場合に、前記製版中断要因の発生時において前記画像有領域の製版中であるか前記画像無領域の製版中であるか判定する製版領域判定部と、前記製版中断要因の発生時において前記画像有領域の製版中であると判定された場合に、前記製版中断要因の発生時において製版中の画像有領域の未製版部分の製版を継続して行うことができるか否か判定する継続製版判定部と、前記製版中断要因の発生時において製版中の画像有領域の未製版部分の製版を継続して行うことができると判定された場合に、前記未製版部分の製版を継続して行うように制御する継続製版制御部と、を備えることを特徴とする。
【００１８】
また、本発明の他の態様は、孔版印刷において製版マスタとなるマスタ部材に対して原稿画像の画像部分に対応する部分を穿孔することにより製版を行う穿孔製版装置であって、前記原稿画像を、前記マスタ部材に対して穿孔を行う際の副走査方向において前記画像部分を含む画像有領域と前記画像部分を含まない画像無領域とに分割することができるか否か判定する分割可否判定部と、前記原稿画像を前記画像有領域と前記画像無領域とに分割することができると判定された場合であって、前記製版を行っている途中で電源遮断が発生した場合に、前記電源遮断の発生時において前記画像有領域の製版中であったか前記画像無領域の製版中であったか判定する製版再開判定部と、前記電源遮断の発生時において前記画像有領域の製版中であったと判定された場合に、前記電源遮断が発生したときの状態から前記製版を再開するように制御する製版再開制御部と、を備えることを特徴とする。
【００１９】
また、本発明の更に他の態様は、孔版印刷において製版マスタとなるマスタ部材に対して原稿画像の画像部分に対応する部分を穿孔することにより製版を行う穿孔製版装置の制御方法であって、前記原稿画像を、前記マスタ部材に対して穿孔を行う際の副走査方向において前記画像部分を含む画像有領域と前記画像部分を含まない画像無領域とに分割することができるか否か判定し、前記原稿画像を前記画像有領域と前記画像無領域とに分割することができると判定された場合であって、前記製版を行っている途中で製版を中断させる製版中断要因が発生した場合に、前記製版中断要因の発生時において前記画像有領域の製版中であるか前記画像無領域の製版中であるか判定し、前記製版中断要因の発生時において前記画像有領域の製版中であると判定された場合に、前記製版中断要因の発生時において製版中の画像有領域の未製版部分の製版を継続して行うことができるか否か判定し、前記製版中断要因の発生時において製版中の画像有領域の未製版部分の製版を継続して行うことができると判定された場合に、前記未製版部分の製版を継続して行うように制御することを特徴とする。
【発明の効果】
【００２０】
本発明によれば、孔版印刷における製版工程の途中で製版が中断された場合において、その製版を製版中断時の状態から再開することが可能か否かを適切に判断すると共に、製版再開にかかる製版マスタの品質を保証することができる。
【図面の簡単な説明】
【００２１】
【図１】本発明の実施形態に係る画像形成装置を主走査方向から見た側面透過図である。
【図２】本発明の実施形態に係る画像形成装置が備える操作パネルをその正面から見た図である。
【図３】本発明の実施形態に係る画像形成装置のハードウェア構成を模式的に示すブロック図である。
【図４】本発明の実施形態に係る画像形成装置の制御部の機能構成を模式的に示すブロック図である。
【図５】本発明の実施形態に係る画像形成装置の製版中に製版中断要因が発生した場合の処理を説明するためのフローチャートである。
【図６】本発明の実施形態に係る画像形成装置が原稿画像を画像有領域毎に分割することができる場合とできない場合との原稿例を示す図である。
【図７】本発明の実施形態に係る画像形成装置の製版中に製版中断要因を発生した際に、製版中の画像有領域の残りの部分について製版を継続することができる場合とできない場合とを示す図である。
【図８】本発明の実施形態に係る画像形成装置の製版中に電源遮断が発生した場合の処理を説明するためのフローチャートである。
【発明を実施するための形態】
【００２２】
以下、図面を参照して、本発明の実施形態を詳細に説明する。本実施形態においては、穿孔製版装置の例として、製版マスタの基となるマスタに対して穿孔製版を行うことにより、インキが通過できる小孔の集合からなる画像部とインキ遮蔽層の非画像部とから構成される製版マスタを作成する製版工程と、表面にインキが塗布され回転軸が固定されたインキローラを、その回転軸を中心に回転させながら、完成した製版マスタと記録媒体とを重ね合わせて圧接することにより、製版マスタの画像部の小孔からインキを記録媒体に押し出すことで記録媒体に画像形成を行う印刷工程とから成る孔版印刷を利用した画像形成装置を例として説明する。
【００２３】
このような画像形成装置において、本実施形態に係る要旨の一つは、まず、原稿画像を、製版マスタに対して穿孔製版を順次行う方向、即ち、製版マスタの副走査方向（以下、「副走査方向」とする）に、画像部分を含む領域（以下、「画像有領域」とする）と、画像部分を含まない領域（以下、「画像無領域」とする）とに分割することが可能か否か判定し、可能な場合には分割された領域毎に製版を行う。そして、画像有領域の製版動作中（穿孔中）に製版を中断させる要因（以下、「製版中断要因」とする）が発生した場合であっても、その中断要因が製版に関係しない中断要因であれば即座に製版を中断するのではなく、製版中断要因発生時において製版中の分割領域（画像有領域）の残りの部分について最後まで製版動作（穿孔）を行ってから製版を中断することにある。
【００２４】
即ち、本実施形態に係る画像形成装置１は、画像有領域の製版動作中（穿孔中）に製版中断要因が発生した場合であっても、その中断要因が製版に関係しない中断要因であれば、製版中断要因発生時において製版中の分割領域（画像有領域）については最後まで製版動作（穿孔）を行ってから製版を中断するので、復帰後に製版中断時の状態から製版を再開した場合であっても、既に製版を終了している分割領域の次の分割領域の先頭から製版を再開することができる。
【００２５】
従って、本実施形態に係る画像形成装置１によれば、製版中に製版中断要因が発生したことによる中断状態からの復帰後に、製版中断時の状態から製版を再開した場合であっても、分割領域の途中から製版が再開されることがないため、完成した製版マスタの画像部分に不連続な部分を生じることがなく、製版マスタの品質を保証することができる。
【００２６】
さらに、上記のような画像形成装置において、本実施形態に係る他の要旨の一つは、製版中に電源が遮断されて製版が中断され、その後に電源が再投入されたら、電源遮断時に画像有領域の製版動作中（穿孔中）であったか画像無領域の製版動作中（非穿孔中）であったかを判定し、画像無領域の製版動作中（非穿孔中）であった場合には電源遮断時の状態から製版を再開し、画像有領域の製版動作中（穿孔中）であった場合には速やかに製版中であったマスタを破棄することにある。
【００２７】
従って、本実施形態に係る画像形成装置によれば、製版中の電源遮断時に画像無領域の製版動作中（非穿孔中）であった場合に限り、電源が再投入された後に電源遮断時の状態から製版を再開するので、完成した製版マスタの画像部分に不連続な部分を生じることがなく、製版マスタの品質を保証することができる。以下、図面を参照して詳細に説明する。
【００２８】
まず、本実施形態に係る画像形成装置１の内部構成及び機構部について図１を参照して説明する。図１は、本実施形態に係る画像形成装置１を用紙搬送方向に対して垂直な方向から見た側面透過図である。尚、図１においては、図１に向かって右から左への方向が用紙搬送方向である。図１に示すように、本実施形態に係る画像形成装置１は、印刷部２、製版部３、給紙部４、排版部５、排紙部６、画像読取部７、装置本体８から構成されている。
【００２９】
装置本体８は、画像形成装置１の骨組みをなす。装置本体８の略中央に配設された印刷部２は、版胴９、インキ供給手段１０、押圧手段としてのプレスローラ１１から構成されている。版胴９は、用紙Ｐの給送方向に対して垂直であって、その用紙Ｐの紙面に対して水平に横架され、インキ供給パイプを兼ねた支軸１２の略両端において回転自在に支持された一対のフランジ１３と、各フランジ１３の外周面に巻装された多孔性支持板９ａとから構成されており、図示しない版胴駆動手段によって図１に向かって時計回りに回転駆動される。
【００３０】
即ち、版胴９は、各フランジ１３をそれぞれ底面及び上面とし、多孔性支持板９ａを側面とする円柱のように構成されている。尚、版胴９は、用紙Ｐの給送方向（副走査方向）に対して垂直であって、その用紙Ｐの紙面に対して水平な方向（以下、「主走査方向」とする）において、マスタ２７の幅よりも長く構成されている。
【００３１】
支軸１２は、装置本体８の筐体を構成する側板のうち主走査方向に位置するお互いに対面する側板によって主走査方向に対して平行に横架されて支持されている。支軸１２の表面にはインキ供給手段１０にインキを供給するための複数の小さな孔が穿設されている。各フランジ１３は図示しない軸受を介して支軸１２の略両端に回転自在に支持されている。
【００３２】
多孔性支持板９ａは、ステンレスの薄板等で形成され、多数の開孔が穿設された開孔部と非開孔部とを有しており、開孔部の周方向の長さはＡ３サイズの用紙に対して印刷を行うことが可能な長さで構成されている。この開孔部は、後述する製版されたマスタ２７に対してインキを押し出すためのインキの通路として機能する。非開孔部には版胴９の一母線と平行な平面を有するステージ部１４が配設されており、ステージ部１４の一端にはマスタ２７の先端を係止する開閉自在なクランパ１５が配設されている。
【００３３】
また、多孔性支持板９ａの開孔部の外側には、ポリエステルあるいはステンレスの細線等からなる図示しないメッシュスクリーンが１乃至３層程度巻装されている。版胴９の内部であって支軸１２の下方に位置する部位には、インキローラ１６及びドクターローラ１７から構成されるインキ供給手段１０が配設されている。
【００３４】
支軸１２には、各フランジ１３の間であって各フランジ１３寄りに図示しない１対の側板が固定さており、インキローラ１６は、その１対の側板間で回転自在に支持されている。インキローラ１６は、図示しない駆動手段によって版胴９と同方向に回転駆動される。
【００３５】
ドクターローラ１７は、その周面をインキローラ１６の周面に近接させて支軸１２に固定されている上記側板に回転自在に支持されている。ドクターローラ１７は、図示しない駆動手段によってインキローラ１６とは逆方向に回転駆動され、インキローラ１６とドクターローラ１７との近接部において、支軸１２より供給されたインキにより断面楔形状のインキ溜まり１８が形成される。また、版胴９には図示しないエンコーダが取り付けられており、版胴９の位置情報は後述するコントローラ１００に入力される。版胴９の下方にはプレスローラ１１が配設されている。
【００３６】
プレスローラ１１は、版胴９の軸方向長さとほぼ同じ長さを有し、芯部１１ａの周囲にゴム等の弾性体を巻装してなり、芯部１１ａがその両端に位置する板状部材である一対のプレスローラアーム１９の一端により回転自在に主走査方向に対して平行に支持されている。一対のプレスローラアーム１９のそれぞれのもう一端は、装置本体８の筐体を構成する側板のうち主走査方向に位置するお互いに対面する側板によって主走査方向に対して平行に横架されて回動自在に支持されたプレスローラ軸２０に、それぞれ固定されている。
【００３７】
そして、図示しないプレスローラ揺動手段によってプレスローラ軸２０を回転させることにより、各プレスローラアーム１９のプレスローラ１１側が同期して上下に揺動する。この揺動によりプレスローラ１１は、その周面を版胴９の外周面から離間させた離間位置（図１における実線で示されるプレスローラ１１）と、その周面を所定の押圧力で版胴９の外周面に圧接させる押圧位置（図１における破線で示されるプレスローラ１１）とに選択的に遷移する。尚、本実施形態ではプレスローラ１１を使用している例について説明しているが、プレスローラ１１に代わり圧胴を使用しても同様の機能を得られる。
【００３８】
図１に向かって印刷部２の右上方には製版部３が配設されている。製版部３は、マスタ貯容部材２１、プラテンローラ２２、サーマルヘッド２３、切断手段２４、マスタ搬送ローラ対２５、マスタ搬送ローラ対２６により構成されており、本実施形態にかかる画像形成装置１では、装置本体８に対して着脱可能に構成されている。
【００３９】
マスタ貯容部材２１は、円板状を呈する一対のマスタロール保持部材２１ａと一対の支持部材２１ｂとから構成されている。各支持部材２１ｂは、製版部３に設けられた主走査方向にお互いに対面する図示しない側板によってそれぞれ固定されている。
【００４０】
各マスタロール保持部材２１ａは、その両面にそれぞれ突起を有しており、一方の突起は、熱可塑性樹脂フィルムと多孔性支持体とを貼り合わせたマスタ２７をロール状に巻装してなるマスタロール２８の芯部にそれぞれ嵌合されている。これにより、マスタロール２８が各マスタロール保持部材２１ａによって着脱自在に支持される。
【００４１】
そして、各マスタロール保持部材２１ａの反対側の突起は、支持部材２１ｂに形成された溝部にそれぞれ嵌合されている。これによりマスタロール２８は、支持部材２１ｂによって主走査方向に対して平行に横架されて回転自在に支持される。
【００４２】
図１に向かってマスタ貯容部材２１の左側には、プラテンローラ２２及びサーマルヘッド２３が配設されている。プラテンローラ２２は、製版部３に設けられた主走査方向にお互いに対面する図示しない側板によって主走査方向に対して平行に横架されて回転自在に支持されており、製版部３に取り付けられたステッピングモータ２９によって回転駆動される。
【００４３】
サーマルヘッド２３は、製版部３に設けられた主走査方向にお互いに対面する図示しない側板によって主走査方向に対して平行に横架されて取り付けられており、その上面に多数の発熱素子（以下、「穿孔部」とする）を有する。また、サーマルヘッド２３は、図示しない付勢手段の付勢力によって、その上面を所定の圧接力でプラテンローラ２２の周面に圧接されている。
【００４４】
尚、サーマルヘッド２３は、マスタ２７の熱可塑性樹脂フィルム面に接触しつつ多数の発熱素子を選択的に発熱させ、マスタ２７に対して熱溶融穿孔製版を行う。また、本実施形態においては、サーマルヘッド２３の穿孔部は、マスタ２７の主走査方向の幅と略同一の幅で構成されている。
【００４５】
図１に向かってプラテンローラ２２及びサーマルヘッド２３の左側には、マスタ２７を切断する切断手段２４が配設されている。切断手段２４は、固定刃２４ａ及び可動刃２４ｂにより構成されている。
【００４６】
固定刃２４ａは、製版部３に設けられた主走査方向にお互いに対面する図示しない側板によって主走査方向に対して平行に横架されて固定されている。そして、可動刃２４ｂが、固定刃２４ａに対向して副走査方向を回転軸にして回転しながら主走査方向に移動することによりマスタ２７を切断する。
【００４７】
図１に向かって切断手段２４の左側には、マスタ搬送ローラ対２５、２６及びマスタガイド板３０、３１が配設されている。マスタ搬送ローラ対２５、２６は、図示しない駆動手段によって同期して回転駆動される駆動ローラ２５ａ、２６ａと、図示しない付勢手段によって各駆動ローラ２５ａ、２６ａに圧接された従動ローラ２５ｂ、２６ｂとから構成されている。
【００４８】
マスタ搬送ローラ対２５とマスタ搬送ローラ対２６との間にはマスタガイド板３０が配設されている。また、図１に向かってマスタ搬送ローラ対２６の左側にはマスタガイド板３１が配設されている。
【００４９】
各マスタガイド板３０、３１は、製版部３に設けられた主走査方向にお互いに対面する図示しない側板によって主走査方向に対して平行に横架されて固定されており、各マスタ搬送ローラ対２５、２６によって副走査方向に搬送されるマスタ２７をガイドし、マスタ２７の先端を版胴９の外周面へと案内する。このような構成により、マスタ２７はマスタロール２８から副走査方向に順次搬送され、サーマルヘッド２３がマスタ２７に対して副走査方向に走査することにより穿孔製版されて版胴９の外周面に巻きつけられる。
【００５０】
図１に向かって製版部３の下方には給紙部４が配設されている。給紙部４は、給紙トレイ３２、給紙ローラ３３、分離ローラ３４、分離ころ３５、レジストローラ対３６により構成されている。
【００５１】
給紙トレイ３２は、上面に多数の用紙Ｐを積載し、装置本体８に上下動自在に支持されており、図示しない昇降手段によって上下動される。給紙トレイ３２には、積載された用紙Ｐのサイズを検知する複数の用紙サイズ検知センサ３７と、用紙Ｐをガイドする一対のサイドフェンス３８とが設けられている。
【００５２】
各センサ３７はそれぞれ反射型センサからなり、一対のサイドフェンス３８はそれぞれ用紙幅方向（主走査方向）に配接され、用紙Ｐを挟み込むようにそれぞれが同期して主走査方向に自由に移動することができる。図１に向かって給紙トレイ３２の上方には表面に高摩擦抵抗部材を有する給紙ローラ３３が配設されている。また、図１に向かって給紙ローラ３３の左側には同様に表面に高摩擦抵抗部材を有する分離ローラ３４が配設されている。
【００５３】
給紙ローラ３３は、給紙トレイ３２上の用紙Ｐと所定の圧力で圧接している。給紙ローラ３３及び分離ローラ３４は、ギヤやベルト等の図示しない駆動力伝達手段を介して、共通のステッピングモータ３９によって図１に向かって時計回りに互いに同期して回転駆動される。
【００５４】
分離ころ３５は、所定の圧接力で分離ローラ３４に圧接配置されており、図１に向かって時計回りに間欠回転可能に構成されている。図１に向かって分離ローラ３４及び分離ころ３５の左側には、レジストローラ対３６が配設されている。レジストローラ対３６は、駆動ローラ３６ａと従動ローラ３６ｂとから構成される。
【００５５】
駆動ローラ３６ａは、図示しない版胴駆動手段からの回転駆動力をギヤやカム等の図示しない駆動力伝達手段によって版胴９と同期した所定のタイミングで回転駆動され、従動ローラ３６ｂは、図示しない付勢手段によって駆動ローラ３６ａに圧接されている。このように駆動ローラ３６ａが版胴９と同期して回転駆動することにより、用紙Ｐは駆動ローラ３６ａと駆動ローラ３６ａに圧接された従動ローラ３６ｂとによって印刷部２へ向けて給送される。
【００５６】
図１に向かって印刷部２の左上方には排版部５が配設されている。排版部５は、上排版部材４０、下排版部材４１、排版ボックス４２、圧縮板４３から構成されている。上排版部材４０は、駆動ローラ４４、従動ローラ４５、無端ベルト４６から構成され、図示しない駆動手段によって駆動ローラ４４が図１向かって時計回りに回転駆動されることによって無端ベルト４６が図１における矢印方向に回転する。
【００５７】
下排版部材４１は、駆動ローラ４７、従動ローラ４８、無端ベルト４９から構成され、図示しない駆動手段によって駆動ローラ４７が図１向かって時計回りに回転駆動されることにより無端ベルト４９が図１における矢印方向に回転する。また、下排版部材４１は、図示しない移動手段によって、図１に示すような版胴９と離間する位置と、無端ベルト４９が版胴９の外周面に当接する位置とに選択的に移動する。
【００５８】
排版ボックス４２は、上排版部材４０と下排版部材４１とによって運ばれた使用済みマスタ５０を収納する。尚、排版ボックス４２は、本実施形態に係る画像形成装置１おいては、装置本体８に対して着脱自在に構成されている。圧縮板４３は、上排版部材４０と下排版部材４１とによって排版ボックス４２内に運ばれた使用済みマスタ５０を、図示しない昇降手段によって図の実線位置と破線位置との間を上下動することにより圧縮する。
【００５９】
図１に向かって排版部５の下方には排紙部６が配設されている。排紙部６は、剥離爪５１、排紙搬送部材５２、排紙トレイ５３により構成されている。剥離爪５１は、排紙部６に設けられた主走査方向にお互いに対面する図示しない側板によって主走査方向に対して平行に横架されて固定されている支軸５１ａによって揺動自在に支持されている。
【００６０】
剥離爪５１は、図示しない爪揺動手段によって、その先端が版胴９の外周面に当接する位置と、その先端が版胴９の回転によって移動するクランパ１５等の障害物と干渉しない位置とに選択的に揺動することにより版胴９の外周面上から用紙Ｐを剥離する。
【００６１】
排紙搬送部材５２は、駆動ローラ５４、従動ローラ５５、無端ベルト５６、吸引ファン５７により構成されている。駆動ローラ５４は、排紙部６に設けられた主走査方向にお互いに対面する図示しない側板によって主走査方向に対して平行に横架されて回転自在に支持されており、図示しない回転駆動手段によって回転駆動される。従動ローラ５５は、排紙部６に設けられた主走査方向にお互いに対面する図示しない側板によって主走査方向に対して平行に横架されて回転自在に支持されている。
【００６２】
駆動ローラ５４と従動ローラ５５との間には複数の開孔を有する複数の無端ベルト５６が掛け渡されている。図１に向かって駆動ローラ５４、従動ローラ５５及び無端ベルト５６の下方には、吸引ファン５７が配設され、吸引ファン５７の吸引力によって無端ベルト５６上の用紙Ｐを吸引して駆動ローラ５４に密着させることにより、駆動ローラ５４の回転によって用紙Ｐを図１における矢印方向に搬送する。
【００６３】
排紙トレイ５３は、排紙搬送部材５２によって搬送されてきた用紙Ｐをその上面に積載し、用紙Ｐをガイドする一対のサイドフェンス５８と、用紙搬送方向（副走査方向）に移動自在なエンドフェンス５９とにより構成されている。一対のサイドフェンス５８はそれぞれ用紙幅方向（主走査方向）に配接され、積載されている用紙Ｐを挟み込むようにそれぞれが同期して主走査方向に自由に移動することができる。
【００６４】
図１に向かって装置本体８の上部には画像読取部７が配設されている。画像読取部７は、原稿６０を積載する原稿載置台６１、原稿６０を載置するコンタクトガラス６２、原稿６０を搬送する原稿搬送ローラ対６３及び原稿搬送ローラ６４、搬送される原稿６０をガイドする原稿ガイド板６５、６６、原稿６０をコンタクトガラス６２に沿って搬送する複数の原稿搬送ベルト６７、読み取られた原稿６０を積載する原稿トレイ６８、コンタクトガラス６２を除く上記各部材を支持しコンタクトガラス６２に対して接離自在に設けられた圧板６９、原稿画像を走査して読み取るための反射ミラー７０、７１及び蛍光灯７２を有する走査ユニット７３、走査された画像を集束するレンズ７４、集束された画像を処理するＣＣＤ等の画像センサ７５により構成されている。
【００６５】
図１に向かって原稿載置台６１の下方には原稿載置台６１上に残存している原稿６０を検知する原稿検知センサ７６が配置されている。図１に向かってコンタクトガラス６２の下方にはコンタクトガラス６２上に載置あるいは搬送された原稿の有無及びサイズを検知する原稿サイズ検知センサ７７が配置されている。原稿搬送ローラ対６３はステッピングモータ７８によって回転駆動される。走査ユニット７３はステッピングモータ７９によって用紙搬送方向（副走査方向）に走査される。
【００６６】
次に、本実施形態に係る画像形成装置１が備える操作パネル８０について図２を参照して説明する。図２は、本実施形態に係る画像形成装置１が備える操作パネル８０をその正面から見た図である。尚、操作パネル８０は、装置本体８の上部前面に設けられている。
【００６７】
図２に示すように本実施形態に係る画像形成装置１は、製版スタートキー８１、印刷スタートキー８２、試し刷りキー８３、連続キー８４、クリア／ストップキー８５、テンキー８６、エンターキー８７、プログラムキー８８、モードクリアキー８９、印刷速度設定キー９０、４方向キー９１、７セグメントＬＥＤからなる表示装置９２、ＬＣＤからなる表示装置９３により構成されている。
【００６８】
製版スタートキー８１は、画像形成装置１に製版動作を行わせる際に押下されるキーであって、各種製版条件が設定された後に製版スタートキー８１が押下されると排版動作及び画像読取動作が行われた後に製版動作が行われ、その後、版付け動作が行われて画像形成装置１は印刷待機状態となる。印刷スタートキー８２は、画像形成装置１に印刷動作を行わせる際に押下されるキーであって、画像形成装置１が印刷待機状態となり各種印刷条件が設定された後に印刷スタートキー８２が押下されることにより印刷動作が行われる。
【００６９】
試し刷りキー８３は、画像形成装置１に試し刷りを行わせる際に押下されるキーであって、各種条件が設定された後に試し刷りキー８３が押下されることにより１枚だけ印刷が行われる。連続キー８４は、製版動作と印刷動作とを連続して行う際に製版スタートキー８１の押下前に押下されるキーであって、連続キー８４の押下後、製版条件及び印刷条件が入力された後に製版スタートキー８１が押下されると、排版動作、画像読取動作、製版動作、版付け動作に引き続いて印刷動作が行われる。
【００７０】
クリア／ストップキー８５は、画像形成装置１の動作を停止させる際や置数のクリア時に押下されるキーである。テンキー８６は、数値入力に用いられるキーである。エンターキー８７は、各種設定時に数値等を決定する際に押下されるキーである。プログラムキー８８は、よく行う操作を登録したりそれを呼び出したりする際に押下されるキーである。モードクリアキー８９は、各種のモードをクリアして初期状態に戻す際に押下されるキーである。
【００７１】
印刷速度設定キー９０は、印刷動作に先立って印刷速度を設定する際に押下されるキーであり、濃い画像を得たい場合や雰囲気温度が低い場合等には印刷速度を遅く設定し、薄い画像を得たい場合や雰囲気温度が高い場合等には印刷速度を速く設定する。４方向キー９１は、上キー９１ａ、下キー９１ｂ、左キー９１ｃ、右キー９１ｄからなり、画像編集時等において画像位置を調整する場合や各種設定時に数値や項目等を選択する場合等に押下されるキーである。７セグメントＬＥＤからなる表示装置９２は、主に印刷枚数等の数字を表示する。
【００７２】
ＬＣＤ（Ｌｉｑｕｉｄ  Ｃｒｙｓｔａｌ  Ｄｉｓｐｌａｙ）からなる表示装置９３は、図２に示すように初期状態時において初期状態画面として、原稿種類設定表示９３ａ、変倍設定表示９３ｂ、用紙種類設定表示９３ｃ、位置調整設定表示９３ｄを表示している。尚、表示装置９３には、図２に示す初期画面の他に、画像形成装置１の動作状態の表示やユーザへの通知画面の表示等、状況に応じて各種の画面が表示される。
【００７３】
表示装置９３の下方には、表示装置９３に表示されている各表示に対応する選択設定キー９４、９５、９６、９７がそれぞれ配置されている。表示装置９３は階層表示構造となっており、各選択設定キーが押下されると、図２に示されている初期状態画面から各設定モード画面に遷移する。
【００７４】
即ち、画像形成装置１は、選択設定キー９４が押下されると、原稿画像モードとして文字モードや写真モード等を設定する原稿種類設定モードに、選択設定キー９５が押下されると自動変倍や独立変倍等を選択設定する変倍設定モードに、選択設定キー９６が押下されると、使用される用紙として標準紙や厚紙等を設定する用紙種類設定モードに、選択設定キー９７が押下されると、印刷位置を調整する位置調整設定モードに状態遷移し、それに伴って、表示装置９３の表示が初期状態画面若しくはその他の画面から各設定モードに対応した画面に遷移する。
【００７５】
次に、本実施形態に係る画像形成装置１のハードウェ構成について、図３を参照して説明する。図３は、本実施形態に係る画像形成装置１のハードウェア構成を模式的に示すブロック図である。尚、図１及び図２と同様の符号を付す構成については、同一または相当部を示すものとし、詳細な説明を省略する。図３に示すように、本実施形態に係る画像形成装置１はコントローラ１００を備え、コントローラ１００は、画像形成装置１全体を制御する。
【００７６】
また、コントローラ１００は、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、補助記憶装置１０４、Ｉ／Ｆ１０５がバス１０６を介して接続されて構成されている。また、Ｉ／Ｆ１０５を介してコントローラ１００にスキャナやプリンタ等を実現するためのエンジンが接続されている。即ち、コントローラ１００にはＩ／Ｆ１０５を介して、印刷部２、製版部３、給紙部４、排版部５、排紙部６、画像読取部７、操作パネル８０が接続されている。
【００７７】
ＣＰＵ１０１は演算手段であり、画像形成装置１全体の動作を制御する。ＲＯＭ１０２は、読み出し専用の不揮発性記憶媒体であり、ファームウェア等のプログラムが格納されている。ＲＡＭ１０３は、情報の高速な読み書きが可能な揮発性の記憶媒体であり、ＣＰＵ１０１が情報を処理する際の作業領域として用いられる。
【００７８】
尚、本実施形態に係るＲＡＭ１０３は、図示しないバッテリバックアップ機能を備え、コントローラ１００への電源の供給が遮断された場合であっても情報を記憶し続けることができる。
【００７９】
補助記憶装置１０４は、ＨＤＤ（Ｈａｒｄ  Ｄｉｓｃ  Ｄｒｉｖｅ）やＮＶＲＡＭ（Ｎｏｎ  Ｖｏｌａｔｉｌｅ  Ｒａｎｄｏｍ  ＡｃｃｅｓｓＭｅｍｏｒｙ）等の情報の読み書きが可能な不揮発性の記憶媒体により実現され、ＯＳ（Ｏｐｅｒａｔｉｎｇ  Ｓｙｓｔｅｍ）や各種の制御プログラム、アプリケーション・プログラム等が格納される。Ｉ／Ｆ１０５は、バス１０６と各種のハードウェアやネットワーク等を接続し制御する。
【００８０】
このようなハードウェア構成において、ＲＯＭ１０２や補助記憶装置１０４若しくは図示しない光学ディスク等の記憶媒体に格納されたプログラムがＲＡＭ１０３に読み出され、ＣＰＵ１０１がＲＡＭ１０３にロードされたプログラムに従って演算を行うことにより、ソフトウェア制御部が構成される。このようにして構成されたソフトウェア制御部と、ハードウェアとの組み合わせによって、本実施形態に係る画像形成装置１の機能を実現する機能ブロックが構成される。
【００８１】
次に、本実施形態に係る画像形成装置１の制御部２００の機能構成について、図４を参照して説明する。図４は、本実施形態に係る画像形成装置１の制御部２００の機能構成を模式的に示すブロック図である。本実施形態に係る画像形成装置１の制御部２００は、製版動作及び製版処理を制御するための機能を実現し、図４に示すように、原稿画像取得部２０１、原稿画像記憶部２０２、分割可否判定部２０３、分割領域製版確定処理部２０４、分割領域製版終了記憶部２０５、動作履歴記憶部２０６、製版中断要因判定部２０７、製版領域判定部２０８、継続製版判定部２０９、製版再開判定部２１１、製版再開位置検知部２１３、製版再開位置調整部２１４により構成されている。
【００８２】
原稿画像取得部２０１は、コンタクトガラス６２上の原稿を原稿画像読取部７が読み取ることにより原稿画像を取得する。尚、原稿画像取得部２０１は、ネットワーク等を介して画像形成装置１に接続されたＰＣやサーバ装置等の外部機器から原稿画像を取得するようにしても良いし、画像形成装置１に挿入されたＳＤ（Ｓｅｃｕｒｅ  Ｄｉｇｉｔａｌ）メモリカードやＵＳＢ（Ｕｎｉｖｅｒｓａｌ  Ｓｅｒｉａｌ  Ｂｕｓ）フラッシュメモリ等の外部記憶装置から原稿画像を取得することもできる。
【００８３】
原稿画像記憶部２０２は、原稿画像取得部２０１が取得した原稿画像を原稿画像記憶部２０２が記憶する。即ち、本実施形態に係る画像形成装置１は、製版を最初からやり直す場合であっても、再度原稿画像を取得する必要がないので、再製版の際の製版時間を短縮することができる。
【００８４】
分割可否判定部２０３は、原稿画像の副走査方向に対して垂直な方向（主走査方向）に画像部分を含まない領域（画像無領域）を検知することにより、その原稿画像を、画像部分を含む画像有領域と画像部分を含まない画像無領域とに副走査方向に分割することができるか否かを判定する。即ち、分割可否判定部２０３は、原稿画像の副走査方向に対して垂直な方向に画像部分を含まない領域（画像無領域）を検知した場合には、その原稿画像を、画像無領域と画像有領域とに副走査方向に分割することができると判定する。
【００８５】
反対に、分割可否判定部２０３は、原稿画像の副走査方向に対して垂直な方向（主走査方向）に画像部分を含まない領域（画像無領域）を検知しなかった場合には、その原稿画像を、画像無領域と画像有領域とに副走査方向に分割することができないと判定する。このとき、画像無領域の副走査方向の長さを「分割可能長さ」とする。尚、分割可能長さについては図６を参照して後述する。即ち、本実施形態においては、分割可否判定部２０３が分割可否判定部として機能する。
【００８６】
分割領域製版確定処理部２０４は、分割可否判定部２０３において画像無領域と画像有領域とに副走査方向に分割することができると判定された原稿画像の製版を行う際に、製版が正常に終了したことを分割領域毎に確定する。
【００８７】
分割領域製版終了記憶部２０５は、分割領域製版確定処理部２０４が最後に確定した分割領域を記憶する。動作履歴記憶部２０６は、版胴９の位置を把握する図示しないエンコーダ、各ステッピングモータ２９、３９、７８、７９からのステップ数、各駆動部の動作の有無等の動作履歴を逐次記憶する。
【００８８】
製版中断要因判定部２０７は、画像形成装置１における製版中に製版を中断する要因が発生した場合に、その中断要因が製版に関係する製版中断要因であるか否かを判定する。即ち、本実施形態においては、製版中断要因は底部２０７が製版中断要因判定部として機能する。尚、製版に関係する製版中断要因については後述する。
【００８９】
製版領域判定部２０８は、画像形成装置１における製版中に製版中断要因が発生したときに、画像形成装置１が画像有領域の製版動作中であるか否か、即ち、サーマルヘッド２３によりマスタに対して穿孔中であるか否かを判定する。即ち、本実施形態においては、製版領域判定部２０８が製版領域判定部として機能する。
【００９０】
継続製版判定部２０９は、画像形成装置１における製版中に製版中断要因が発生したときに、画像形成装置１が画像有領域の製版動作中であった場合に、継続製版可能時間内に製版中断要因発生時において製版中（穿孔中）の分割領域（画像有領域）の残りの部分について製版（穿孔）を終了することができるか否か、即ち、その残りの部分について製版（穿孔）を継続して行うことができるか否かを判定する。尚、継続製版可能時間については後述する。即ち、本実施形態においては、継続製版判定部２０９が継続製版判定部として機能する。
【００９１】
継続製版制御部２１０は、継続製版判定部２０９が製版中断要因発生時において製版中（穿孔中）の分割領域（画像有領域）の残りの部分について製版（穿孔）を継続して行うことができると判定し、製版中断要因判定部２０７がその中断要因が製版に関係する製版中断要因ではないと判定した場合に、上記残りの部分について製版（穿孔）を継続させるように制御する。
【００９２】
反対に、継続製版制御部２１０は、継続製版判定部２０９が製版中断要因発生時において製版中（穿孔中）の分割領域（画像有領域）の残りの部分について製版（穿孔）を継続して行うことができないと判定した場合、又は、製版中断要因判定部２０７がその中断要因が製版に関係する製版中断要因であると判定した場合に、上記残りの部分について製版（穿孔）を即座に中断するように制御する。
【００９３】
また、継続製版制御部２１０は、製版領域判定部２０８が画像形成装置１における製版中に製版中断要因が発生したときに、画像形成装置１が画像無領域の製版動作中であると判定、即ち、サーマルヘッド２３によりマスタに対して穿孔中であると判定した場合に、即座に製版を中断するように制御する。即ち、継続製版制御部２１０は、本実施形態においては、継続製版制御部として機能する。
【００９４】
製版再開判定部２１１は、動作履歴記憶部２０６に記憶されている製版中断時の動作履歴に基づいて製版を再開することができるか否か判定する。即ち、製版再開判定部２１１は、画像形成装置１が画像有領域の製版動作中、即ち、サーマルヘッド２３によるマスタへの穿孔中に、製版中断要因が発生して製版を中断した場合には、その中断要因を解消して復帰動作を行った後であっても製版を再開することができないと判定する。
【００９５】
一方、製版再開判定部２１１は、画像形成装置１が画像有領域の製版動作中ではないとき、即ち、サーマルヘッド２３によるマスタへの穿孔中ではないときに、製版中断要因が発生して製版を中断した場合には、製版中断要因を解消して復帰動作を行った後に製版を再開することができると判定する。即ち、本実施形態においては、製版再開判定部２１１が製版再開判定部として機能する。
【００９６】
製版再開制御部２１２は、製版再開判定部２１１が製版を再開することができないと判定した場合に、その製版を製版中断時の状態から再開させないように、具体的には、製版途中のマスタを破棄したり、ユーザに対して製版を再開できない旨の通知を行ったりするように制御する。
【００９７】
反対に、製版再開制御部２１２は、製版再開判定部２１１が製版を再開することができると判定した場合に、その製版を製版中断時の状態から再開させるように、具体的には、ユーザに製版を再開することが可能な旨を通知したり、製版中断時の状態に復帰するための動作を行ったりするように制御する。即ち、製版再開制御部２１２は、本実施形態においては、製版再開制御部として機能する。
【００９８】
製版再開位置検知部２１３は、動作履歴記憶部２０６に記憶されている製版中断時の動作履歴、又は、製版中断時点において分割領域製版終了記憶部２０５に記憶されている分割領域製版確定処理部２０４が最後に確定した分割領域に基づいて、製版が中断したときのマスタの位置、即ち、製版を再開するときのマスタの位置を検知する。製版再開位置調整部２１４は、製版再開位置検知部２１３が検知した製版再開位置にマスタを搬送する。
【００９９】
次に、上記のように構成された本実施形態に係る画像形成装置１の製版動作及び印刷動作を行う際の各機構部の動作を説明する。本実施形態に係る画像形成装置１は、印刷動作に先だって製版動作を行うが、使用済みのマスタ５０が画像形成装置１に残存している場合には、その使用済みマスタ５０の排版、即ち、マスタ５０の破棄から開始する。尚、使用済みマスタ５０が残存していない場合には、排版を行う必要はない。以下では、使用済みマスタが残存している例について説明する。
【０１００】
まず、コンタクトガラス６２上に原稿６０がセットされ、各選択設定キー９４、９５、９６、９７によって各種製版条件が設定された後に操作パネル８０上の製版スタートキー８１が押下されると、図示しない版胴駆動手段が作動して版胴９が図１において時計回り方向への回転を開始する。
【０１０１】
尚、原稿載置台６１上に原稿６０が載置されている場合には、各選択設定キー９４、９５、９６、９７によって各種製版条件が設定された後に操作パネル８０上の製版スタートキー８１が押下されると、原稿検知センサ７６が原稿６０を検知し、原稿搬送ローラ対６３及び原稿搬送ベルト６７が作動することにより原稿６０がコンタクトガラス６２上へと送られ、図示しない版胴駆動手段が作動して版胴９が図１において時計回り方向への回転を開始する。
【０１０２】
そして、版胴９上に巻装されている使用済みマスタ５０の先端が駆動ローラ４７と対応する位置に到達すると、図示しない移動手段が作動して下排版部材４１が移動し、駆動ローラ４７の外周面上に位置する無端ベルト４９が版胴９上の使用済みマスタ５０に接触する。使用済みマスタ５０は下排版部材４１によってすくい上げられ、版胴９の回転に伴って各排版部材４０、４１によって挟持搬送される。搬送された使用済みマスタ５０は排版ボックス４２内に収納された後、圧縮板４３によって圧縮される。
【０１０３】
このようにして、排版動作が完了すると、版胴９はクランパ１５がほぼ右真横に位置する給版待機位置まで回転して停止し、その後、図示しない開閉装置によりクランパ１５が開放されて画像形成装置１は給版待機状態となる。
【０１０４】
そして、走査ユニット７３が図１において右方向に移動して原稿６０の画像が読み取られ、読み取られた画像はレンズ７４によって集束された後に画像センサ７５へと送られて画像データ信号に変換される。変換された画像データ信号はコントローラ１００を経由して図示しないサーマルヘッドドライバに送られる。
【０１０５】
画像を読み取られた原稿６０は、原稿搬送ベルト８７及び原稿搬送ローラ６４の作動によってコンタクトガラス６２上より搬送され、原稿トレイ６８上に排出される。原稿６０の画像が読み取られると、ステッピングモータ２９が作動してプラテンローラ２２が回転駆動され、マスタロール２８よりマスタ２７が引き出される。引き出されたマスタ２７は、サーマルヘッド２３を通過する際にサーマルヘッドドライバからの動作信号に基づいて選択的に加熱する発熱素子により、その熱可塑性樹脂フィルム面を穿孔製版される。
【０１０６】
製版されたマスタ２７（以下、「製版済マスタ」とする）は、プラテンローラ２２の回転速度よりも若干早い回転速度で回転駆動しているマスタ搬送ローラ対２５により、プラテンローラ２２との間で所定の張力を付与されつつ搬送される。製版済マスタは、各マスタガイド板３０、３１に案内され、プラテンローラ２２及び各マスタ搬送ローラ対２５、２６によって用紙搬送方向に搬送される。
【０１０７】
そして、コントローラ１００が、製版済マスタの先端がステージ部１４とクランパ１５との間の所定位置まで達したことをステッピングモータ２９のステップ数により確認すると、図示しない開閉装置が作動してクランパ１５が閉じられて製版済マスタの先端をステージ部１４とクランパ１５との間で挟みこむと共に、版胴駆動手段が作動して版胴９が製版済みマスタの搬送速度とほぼ同じ回転速度で再度回転を開始し、製版済マスタの版胴９への巻装動作が行われる。
【０１０８】
コントローラ１００が、１版分の製版済マスタが製版され且つ所定の位置まで巻装されたことをステッピングモータ２９のステップ数により確認すると、切断手段２４が作動して製版済マスタが切断されてマスタロール２８から分離されると共に、プラテンローラ２２及び各マスタ搬送ローラ対２５、２６の作動が停止する。切断された製版済マスタは、版胴９の回転によって製版部３より完全に引き出され、巻装動作が完了する。このとき製版済マスタは、版胴９に巻装されているのみで、後述する版付けはされていない。
【０１０９】
尚、巻装動作は上記構成により行われる他に、ステージ１４とクランパ１５とで製版前のマスタ２７を挟持後、図示しないマスタ貯留手段により製版前のマスタ２７を１版分ストックし、版胴９への巻装動作に合わせて製版動作を行い、製版が終了すると切断手段２４が作動して製版済マスタが切断されてマスタロール２８から分離され、版胴９へ巻装されることにより行われるように構成されていても良い。
【０１１０】
版胴９へのマスタ巻装動作が完了したら、給紙ローラ３３及び分離ローラ３４が回転して給紙部４より１枚の用紙Ｐが給送されると共に、版胴９が低速で図１において時計回り方向に回転駆動する。給送された用紙Ｐは、レジストローラ対３６にその先端部が当接されて一時停止された後、所定のタイミングでレジストローラ対３６が回転することにより版胴９とプレスローラ１１との間に向けて給送される。尚、ここで給送された用紙Ｐは、次に説明する版付け動作の際に発生する余分なインキを除去するための役割を担うものであって、印刷用に使用されない。
【０１１１】
用紙Ｐが所定の位置に達すると、印刷部２において版付け動作が行われる。ここで、版付けとは、版胴９の外周面に製版済マスタを密着させることを指す。即ち、用紙Ｐが所定の位置に達すると、図示しないプレスローラ揺動手段が作動し、プレスローラ１１が所定の圧接力で版胴９の外周面に対して圧接されると同時に、インキ供給手段１０によって版胴９の内面にインキが供給されることによりインキローラ１６の外周面にインキが塗布される。そして、版胴９が図１において時計回り方向に回転することにより製版済マスタの多孔性支持体面と版胴９の外周面とが密着する。
【０１１２】
このとき、インキローラ１６が版胴９と同方向に回転駆動することにより、インキローラ１６の外周面に塗布されたインキが、多孔性支持板９ａに形成されている開孔部を通過して製版済マスタの多孔性支持体面に充填されると共に、レジストローラ対３６が版胴９と同期した所定のタイミングで回転することにより、製版済マスタの穿孔部を介して用紙Ｐにインキが転移され余分なインキが除去される。
【０１１３】
インキが転移された用紙Ｐは、剥離爪５１によって版胴９の外周面上より剥離された後、排紙搬送部材５２上に落下する。排紙搬送部材５２に落下した用紙Ｐは、吸引ファン５７の吸引力によって無端ベルト５６上に吸着されつつ駆動ローラ５４の回転によって図１における左方向へと搬送され、排紙トレイ５３上に排出される。この一連の動作により画像形成装置１は版付け動作を完了し、印刷待機状態となる。
【０１１４】
画像形成装置１が印刷待機状態となった後、印刷速度設定キー９０等によって印刷条件が設定された後に操作パネル８０上の試し刷りキー８３が押下されると、試し刷り動作が行われる。試し刷りキー８３が押下されると、版胴９が設定された印刷速度に対応した回転速度で図１において時計回り方向に回転駆動されると共に、給紙ローラ３３及び分離ローラ３４が回転して給紙部４より１枚の用紙Ｐが給送される。
【０１１５】
給送された用紙Ｐは、レジストローラ対３６にその先端部が当接されて一時停止された後、所定のタイミングでレジストローラ対３６が回転することにより版胴９とプレスローラ１１との間に向けて給送される。用紙Ｐが所定の位置に達すると、図示しないプレスローラ揺動手段が作動し、プレスローラ１１が所定の圧接力で版胴９の外周面に対して圧接され、この圧接により製版済マスタの先端部分と用紙Ｐの先端部分とが密着する。
【０１１６】
そして、インキローラ１６が版胴９と同方向に回転駆動すると共に、レジストローラ対３６が版胴９と同期した所定のタイミングで回転することにより、インキローラ１６の外周面に塗布されたインキが、多孔性支持板９ａに形成されている開孔部を通過して、製版済マスタの穿孔部を介して用紙Ｐにインキが転写される。この一連の動作により、画像形成装置１は製版済マスタに穿孔によって形成された画像を用紙Ｐの印刷面に転写することにより印刷を行う。
【０１１７】
画像を転写された用紙Ｐは、剥離爪５１によって版胴９の外周面上より剥離された後、排紙搬送部材５２上に落下する。排紙搬送部材５２に落下した用紙Ｐは、吸引ファン５７の吸引力によって無端ベルト５６上に吸着されつつ駆動ローラ５４の回転によって図１における左方向へと搬送され、排紙トレイ５３上に排出される。
【０１１８】
試し刷りによって画像位置や濃度等を確認した後、テンキー８６及び印刷速度設定キー９０等によって印刷条件が設定された後に操作パネル８０上の印刷スタートキー８２が押下されると、印刷動作が行われる。印刷スタートキー８２が押下されると、版胴９が設定された印刷速度に対応した回転速度で図１において時計回り方向に回転駆動すると共に、給紙ローラ３３及び分離ローラ３４が回転して給紙部４より用紙Ｐが連続的に給送される。
【０１１９】
給送された用紙Ｐは、上記試し刷りの場合と同様に、所定のタイミングで印刷部２へと給送され、プレスローラ１１によって版胴９に対して圧接されることにより製版済マスタに穿孔によって形成された画像を転写された後、排紙トレイ５３上に順次排出積載される。そして、設定された枚数の印刷が終了すると、各部の作動が停止して画像形成装置１は再び印刷待機状態となる。
【０１２０】
上述の動作時において、画像形成装置１全体を制御するコントローラ１００は、版胴９の位置を把握する図示しないエンコーダ、各ステッピングモータ２９、３９、７８、７９からのステップ数、各駆動部の動作の有無等から、画像形成装置１がどのような動作を行っているかを把握している。尚、このような動作履歴は、ＲＡＭ１０３に逐次入力されて更新され、記憶される。また、各動作前に設定される製版条件や印刷条件等の設定条件も同様に、ＲＡＭ１０３に逐次入力されて更新され、記憶される。
【０１２１】
このように構成された画像形成装置１において、本実施形態に係る要旨の一つは、まず、原稿画像を副走査方向に画像有領域と画像無領域とに分割することが可能か否かを判定し、可能な場合には分割された領域毎に製版を行う。そして、画像有領域の製版動作中（穿孔中）に製版中断要因が発生した場合であっても、その中断要因が製版に関係しない中断要因であれば即座に製版を中断するのではなく、製版中断要因発生時において製版中の分割領域（画像有領域）の残りの部分について最後まで製版動作（穿孔）を行ってから製版を中断することにある。
【０１２２】
即ち、本実施形態に係る画像形成装置１は、画像有領域の製版動作中（穿孔中）に製版中断要因が発生した場合であっても、その中断要因が製版に関係しない中断要因であれば、製版中断要因発生時において製版中の分割領域（画像有領域）については最後まで製版動作（穿孔）を行ってから製版を中断するので、復帰後に製版中断時の状態から製版を再開した場合であっても、既に製版を終了している分割領域の次の分割領域の先頭から製版を再開することができる。
【０１２３】
従って、本実施形態に係る画像形成装置１によれば、製版中に製版中断要因が発生したことによる中断状態からの復帰後に、製版中断時の状態から製版を再開した場合であっても、分割領域の途中から製版が再開されることがないため、完成した製版マスタの画像部分に不連続な部分を生じることがなく、製版マスタの品質を保証することができる。
【０１２４】
また、本実施形態に係る画像形成装置１によれば、画像有領域の製版動作中（穿孔中）に製版中断要因が発生したとしても、その中断要因が製版に関係しない中断要因である場合に限り、製版中断要因発生時において製版中の分割領域（画像有領域）について最後まで製版動作（穿孔）を行ってから製版を中断するので、画像形成装置１に損傷やダメージを与えることなく製版中断要因発生時において製版中の分割領域（画像有領域）について最後まで製版を継続することができる。
【０１２５】
また、このように構成された画像形成装置１において、本実施形態に係る他の要旨の一つは、画像有領域の製版動作中（穿孔中）に製版中断要因が発生した場合、その中断要因が製版に関係する中断要因であったり、製版中断要因発生時において製版中の分割領域（画像有領域）の残りの部分が多すぎたりする等の理由により、製版中断要因発生時において製版中の分割領域（画像有領域）について最後まで製版動作（穿孔）を行うことが不可能である場合には即座に製版を中断して、復帰後に製版中であったマスタを破棄することにある。
【０１２６】
従って、本実施形態に係る画像形成装置１によれば、画像有領域の製版動作中（穿孔中）に製版を中断した場合には、復帰後に製版中断時の状態から製版を再開したとしても、完成した製版マスタの画像部分には製版が中断されたことによる不連続な部分が生じてしまって製版マスタの品質が低下してしまい、結果的に製版を最初からやり直すことになるといったことを防ぐことができる。即ち、本実施形態に係る画像形成装置１によれば、画像有領域の製版動作中（穿孔中）に製版を中断した場合には、復帰後に製版中断時の状態から製版を再開したとしても、結果的に製版を最初からやり直すことになるので、それ以上製版を行わず、また、破棄されるマスタは製版済みの部分だけなので、製版時間と製版コストとの無駄を低減させることができる。
【０１２７】
さらに、上記のような画像形成装置１において、本実施形態に係る他の要旨の一つは、製版中に電源が遮断されて製版が中断され、その後に電源が再投入されたら、電源遮断時に画像有領域の製版動作中（穿孔中）であったか画像無領域の製版動作中（非穿孔中）であったかを判定し、画像無領域の製版動作中（非穿孔中）であった場合には電源遮断時の状態から製版を再開し、画像有領域の製版動作中（穿孔中）であった場合には速やかに製版中であったマスタを破棄することにある。
【０１２８】
従って、本実施形態に係る画像形成装置１によれば、製版中の電源遮断時に画像無領域の製版動作中（非穿孔中）であった場合に限り、電源が再投入された後に電源遮断時の状態から製版を再開するので、完成した製版マスタの画像部分に不連続な部分を生じることがなく、製版マスタの品質を保証することができる。
【０１２９】
また、本実施形態に係る画像形成装置１によれば、製版中の電源遮断時に画像有領域の製版動作中（穿孔中）であった場合には、電源が再投入された後に電源遮断時の状態から製版を再開したとしても、完成した製版マスタの画像部分には製版が中断されたことによる不連続な部分が生じてしまって製版マスタの品質が低下してしまい、結果的に製版を最初からやり直すことになるといったことを防ぐことができる。即ち、本実施形態に係る画像形成装置１によれば、製版中の電源遮断時に画像有領域の製版動作中（穿孔中）であった場合には、電源の再投入後に電源遮断時の状態から製版を再開したとしても、結果的に製版を最初からやり直すことになるので、それ以上製版を行わず、また、破棄されるマスタは製版済みの部分だけなので、製版時間と製版コストとの無駄を低減させることができる。
【０１３０】
次に、本実施形態に係る画像形成装置１における製版中に製版中断要因が発生した場合の処理について図５を参照して説明する。図５は、本実施形態に係る画像形成装置１における製版中に製版中断要因が発生した場合の処理を説明するためのフローチャートである。図５に示すように、本実施形態に係る画像形成装置１が製版を行う際にはまず、電源がＯＮの状態でユーザにより製版スタートキー８１が押下されると、原稿画像取得部２０１は製版を行うための原稿となる原稿画像を取得して、取得した原稿画像を原稿画像記憶部２０２が記憶する（Ｓ５０１）。
【０１３１】
原稿画像取得部２０１が原稿画像を取得したら、分割可否判定部２０３は、副走査方向に対する長さが分割可能長さ以上である画像無領域が存在するか否か検知することにより、その原稿画像を画像無領域と画像有領域とに副走査方向に分割することができるか否か判定する（Ｓ５０２）。
【０１３２】
ここで、分割可能長さとは、原稿画像を画像無領域と画像有領域とに副走査方向に分割するために最低限必要な画像無領域の副走査方向に対する長さである。従って、分割可否判定部２０３は、原稿画像内において分割可能長さ以上の画像無領域が存在すれば、その原稿画像を画像無領域と画像有領域とに副走査方向に分割することができると判定する。一方、分割可否判定部２０３は、原稿画像内において画像無領域が存在する場合であっても、その画像無領域の副走査方向に対する長さが分割可能長さ以下である場合や、原稿画像内において画像無領域が存在しない場合には、その原稿画像を画像無領域と画像有領域とに副走査方向に分割することができないと判定する。
【０１３３】
尚、本実施形態においては、上記分割可能長さは、ステッピングモータ２９が停止している状態から定速で駆動する状態になるまでの間にマスタが搬送されることにより移動する長さとして設定されている。但し、分割可能長さはこの長さに限られず、分割可否判定部２０３が原稿画像を画像有領域と画像無領域とに副走査方向に分割することができれば、より長くなるように設定されていても良いし、より短くなるように設定されていても良い。
【０１３４】
また、画像形成装置１は、画像有領域の製版中はサーマルヘッド２３によりマスタに対して穿孔を行うが、画像無領域の製版中は次の画像有領域の先頭がサーマルヘッド２３の位置に到達するまでマスタを搬送するのみであり、サーマルヘッド２３によるマスタへの穿孔を行わない。
【０１３５】
図６（ａ）に、分割可否判定部２０３が、原稿画像の副走査方向に対して分割可能長さ以上画像無領域が存在することにより、その原稿画像を画像無領域と画像有領域とに副走査方向に対して分割することができると判定する原稿の例を示す。また、図６（ｂ）には反対に、分割可否判定部が、原稿画像の副走査方向に対して分割可能長さ以上画像無領域が存在しないことにより、その原稿画像を画像無領域と画像有領域とに副走査方向に対して分割することができないと判定する原稿の例を示している。
【０１３６】
そして、Ｓ５０２の処理において、分割可否判定部２０３が副走査方向に対して原稿画像を画像無領域と画像有領域とに分割することができないと判定すると（Ｓ５０２／ＮＯ）、画像形成装置１は製版を開始する（Ｓ５０３）。そして、画像形成装置１は、製版中断要因が発生することなく（Ｓ５０４／ＮＯ）製版を終えた場合には（Ｓ５０５）、印刷待状態に遷移し（Ｓ５０６）、製版を終了する。一方、画像形成装置１は、製版中に製版中断要因が発生した場合には（Ｓ５０４／ＹＥＳ）、即座に製版を中断する（Ｓ５０７）。
【０１３７】
ここで、製版中断要因とは、例えば、製版、給紙、印刷、排紙等の各種動作中に作動する各種モータやローラの異常動作、操作パネル８０の故障、各種インターロックスイッチ（装置本体のカバーオープン検知、排版ボックス着脱検知、製版ユニット開閉検知等）の作動、サーマルヘッド２３の温度異常等であって、画像形成装置１における製版中に製版中断要因が発生した場合には、画像形成装置１は製版を中断する。
【０１３８】
また、製版中断要因には、製版に関係する製版中断要因と製版に関係しない製版中断要因とがある。製版に関係する製版中断要因とは、例えば、製版中に作動する各種モータやローラの異常動作、サーマルヘッド２３の温度異常等であって、後述する製版に関係しない製版中断要因とは異なり、画像形成装置１がそのまま製版を継続した場合には製版動作に影響を与えたり画像形成装置１に損傷やダメージを与えたりするか、又は、そのままでは製版を継続することができない製版中断要因である。
【０１３９】
製版に関係しない製版中断要因とは、例えば、給紙中や排紙中にのみ作動する各種モータやローラの異常動作、操作パネル８０の故障、各種インターロックスイッチ（装置本体のカバーオープン検知、排版ボックス着脱検知、製版ユニット開閉検知等）の作動等であって、上述した製版に関係する製版中断要因とは異なり、画像形成装置１がそのまま製版を継続しても製版動作には影響を与えず、また、画像形成装置１に損傷やダメージを与える可能性の低い製版中断要因である。
【０１４０】
そして、画像形成装置１は製版を中断したら（Ｓ５０７）、製版を中断したことをユーザに報知し（Ｓ５０８）、自動で若しくはユーザが製版中断要因を解消して（Ｓ５０９）復帰動作を行う（Ｓ５１０）と共に、製版中のマスタを排版ボックス４２に破棄して（Ｓ５１１）待機状態に遷移し（Ｓ５１２）、製版を終了する。
【０１４１】
尚、Ｓ５０９の処理における製版が中断した際のユーザへの報知は、エラー音の発生や表示装置９３上でのエラー表示、表示装置９２における７セグメントＬＥＤの点滅、画像形成装置１に接続されている外部装置の表示画面上でのエラー表示等により行われる。
【０１４２】
一方、Ｓ５０２の処理において、分割可否判定部２０３が原稿画像を画像有領域と画像無領域とに分割することができると判定すると（Ｓ５０２／ＹＥＳ）、画像形成装置１は製版を開始する（Ｓ５１３）。このときの製版において、画像形成装置１は、分割領域毎に製版を実施し、分割領域製版確定処理部２０４は、製版が正常に終了したことをその分割領域毎に確定する。そして、分割領域製版終了記憶部２０５は、分割領域製版確定処理部２０４が最後に確定した分割領域を記憶する。
【０１４３】
また、このときの製版において、画像形成装置１は、逐次版胴９の位置を把握する図示しないエンコーダ、各ステッピングモータ２９、３９、７８、７９からのステップ数、各駆動部の動作の有無等から、画像形成装置１がどのような動作を行っているかをコントローラ１００において把握しており、このような動作履歴は動作履歴記憶部２０６に逐次入力されて更新され記憶される。
【０１４４】
そして、画像形成装置１は、製版中断要因が発生することなく（Ｓ５１４／ＮＯ）製版を終えた場合には（Ｓ５０５）、印刷待状態に遷移し（Ｓ５０６）、製版を終了する。一方、画像形成装置１が製版中に製版中断要因を発生した場合には（Ｓ５１４／ＹＥＳ）、製版中断要因判定部２０７は発生した製版中断要因が製版に関係する製版中断要因であるか、製版に関係しない製版中断要因であるかを判定する（Ｓ５１５）。
【０１４５】
そして、Ｓ５１５の処理において、製版中断要因判定部２０７が発生した製版中断要因は製版に関係する製版中断要因であると判定した場合には（Ｓ５１５／ＹＥＳ）、画像形成装置１は、即座に製版を中断する（Ｓ５１９）。
【０１４６】
一方、Ｓ５１５の処理において、製版中断要因判定部２０７が発生した製版中断要因は製版に関係しない製版中断要因であると判定した場合には（Ｓ５１５／ＮＯ）、製版領域判定部２０８は、その製版中断要因の発生時において画像形成装置１は画像有領域の製版動作中であるか否か、即ち、サーマルヘッド２３によるマスタへの穿孔中であるか否かを判定する（Ｓ５１６）。
【０１４７】
Ｓ５１６の処理において、製版領域判定部２０８が製版中断要因の発生時において画像形成装置１は画像有領域の製版動作中ではないと判定、即ち、サーマルヘッド２３によるマスタへの穿孔中ではないと判定した場合には（Ｓ５１６／ＮＯ）、画像形成装置１は、即座に製版を中断する（Ｓ５１９）。
【０１４８】
一方、Ｓ５１６の処理において、製版領域判定部２０８が製版中断要因の発生時において画像形成装置１は画像有領域の製版動作中であると判定、即ち、サーマルヘッド２３によるマスタへの穿孔中であると判定した場合には（Ｓ５１６／ＹＥＳ）、継続製版判定部２０９は、継続製版可能時間内に製版中断要因発生時において製版中（穿孔中）の分割領域（画像有領域）の残りの部分について製版（穿孔）を終了することができるか否か、即ち、その残りの部分について製版（穿孔）を継続して行えるか否かを判定する（Ｓ５１７）。
【０１４９】
ここで、継続製版可能時間とは、画像形成装置１における製版中に製版に関係しない製版中断要因が発生した場合であっても、画像形成装置１が、人体及び画像形成装置１自体に損傷やダメージを与えることなく製版を継続することができる時間のことである。この時、継続製版可能時間内に製版を継続することにより搬送されるマスタの副走査方向における長さを「継続製版可能長さ」とする。
【０１５０】
図７に、画像形成装置１における製版中に製版に関係しない製版中断要因を発生した際に、製版中断要因発生時において製版中（穿孔中）の分割領域（画像有領域）の残りの部分について製版を継続することができる場合と、製版を継続することができない場合について示す。
【０１５１】
即ち、画像形成装置１が、例えば、図７に示すＡの位置に相当する部分を製版（穿孔）しているときに製版に関係しない製版中断要因を発生した場合、位置Ａから位置Ｃまでの副走査方向における長さは継続製版可能長さよりも長いので、継続製版判定部２０９は製版中断要因発生時において製版中（穿孔中）の分割領域（画像有領域）の残りの部分について製版（穿孔）を終了することができない、即ち、その残りの部分について製版（穿孔）を継続して行うことができないと判定する。尚、位置Ｃは、製版中断要因発生時において製版中（穿孔中）の分割領域（画像有領域）について製版（穿孔）を完了する位置、即ち、製版中断要因発生時において製版中（穿孔中）の分割領域（画像有領域）の終端位置である。
【０１５２】
一方、画像形成装置１が、例えば、図７に示すＢの位置に相当する部分を製版（穿孔）しているときに製版に関係しない製版中断要因を発生した場合、位置Ｂから位置Ｃまでの副走査方向における長さは継続製版可能長さよりも短いので、継続製版判定部２０９は製版中断要因発生時において製版中（穿孔中）の分割領域（画像有領域）の残りの部分について製版（穿孔）を終了することができる、即ち、その残りの部分について製版（穿孔）を継続して行うことができると判定する。
【０１５３】
尚、Ｓ５１５の処理とＳ５１６の処理とは順番を入れ替えて行っても良い。即ち、Ｓ５１４の処理において、画像形成装置１が製版中に製版中断要因を発生した場合には（Ｓ５１４／ＹＥＳ）、Ｓ５１６の処理において、製版領域判定部２０８は、その製版中断要因の発生時において画像形成装置１は画像有領域の製版動作中であるか否か、即ち、サーマルヘッド２３によるマスタへの穿孔中であるか否かを判定する（Ｓ５１６）。
【０１５４】
そして、Ｓ５１６の処理において、製版領域判定部２０８が製版中断要因の発生時において画像形成装置１は画像有領域の製版動作中ではないと判定、即ち、サーマルヘッド２３によるマスタへの穿孔中ではないと判定した場合には（Ｓ５１６／ＮＯ）、画像形成装置１は、即座に製版を中断する（Ｓ５１９）。
【０１５５】
一方、Ｓ５１６の処理において、製版領域判定部２０８が製版中断要因の発生時において画像形成装置１は画像有領域の製版動作中であると判定、即ち、サーマルヘッド２３によるマスタへの穿孔中であると判定した場合には（Ｓ５１６／ＹＥＳ）、製版中断要因判定部２０７は発生した製版中断要因が製版に関係する製版中断要因であるか、製版に関係しない製版中断要因であるかを判定する（Ｓ５１５）。
【０１５６】
そして、Ｓ５１５の処理において、製版中断要因判定部２０７が発生した製版中断要因は製版に関係する製版中断要因であると判定した場合には（Ｓ５１５／ＹＥＳ）、画像形成装置１は、即座に製版を中断する（Ｓ５１９）。
【０１５７】
一方、Ｓ５１６の処理において、製版中断要因判定部２０７が発生した製版中断要因は製版に関係しない製版中断要因であると判定した場合には（Ｓ５１５／ＮＯ）、継続製版判定部２０９は、継続製版可能時間内に製版中断要因発生時において製版中（穿孔中）の分割領域（画像有領域）の残りの部分について製版（穿孔）を終了することができるか否か、即ち、祖残りの部分について製版（穿孔）を継続して行えるか否か判定する（Ｓ５１７）。
【０１５８】
Ｓ５１７の処理において、継続製版判定部２０９が、製版中断要因発生時において製版中（穿孔中）の分割領域（画像有領域）の残りの部分の副走査方向の長さが継続製版可能長さよりも長いために、その残りの部分について製版（穿孔）を終了することができない、即ち、その残りの部分について製版（穿孔）を継続して行うことができないと判定した場合には（Ｓ５１７／ＮＯ）、画像形成装置１は、即座に製版を中断する（Ｓ５１９）。
【０１５９】
一方、Ｓ５１７の処理において、継続製版判定部２０９が製版中断要因発生時において製版中（穿孔中）の分割領域（画像有領域）の残りの部分の副走査方向における長さが継続製版可能長さよりも短いために、その残りの部分について製版動作（穿孔）を終了することができる、即ち、その残りの部分について製版（穿孔）を継続して行うことができると判定した場合には（Ｓ５１７／ＹＥＳ）、画像形成装置１は、その残りの部分について製版動作（穿孔）を継続して行う（Ｓ５１８）。そして、画像形成装置１はその残りの部分についての製版動作（穿孔）を終了したら製版を中断する（Ｓ５１９）。
【０１６０】
そして、画像形成装置１は、製版を中断したら（Ｓ５１９）、製版を中断したことをユーザに報知し（Ｓ５２０）、自動で若しくはユーザが製版中断要因を解消して（Ｓ５２１）復帰動作を行う（Ｓ５２２）。尚、Ｓ５２０の処理における製版を中断した際のユーザへの報知は、Ｓ５０９の処理と同様に行われる。
【０１６１】
画像形成装置１が復帰動作を終了すると、製版再開判定部２１１は、動作履歴記憶部２０６に記憶されている製版中断時の動作履歴に基づいて製版を再開することができるか否か判定する（Ｓ５２３）。即ち、Ｓ５２３の処理において、製版再開判定部２１１は、画像形成装置１が画像有領域の製版動作中、即ち、サーマルヘッド２３によるマスタへの穿孔中に製版中断要因を発生して製版を中断した場合には、製版を再開することができないと判定する（Ｓ５２３／ＮＯ）。
【０１６２】
一方、Ｓ５２３の処理において、製版再開判定部２１１は、画像形成装置１が画像有領域の製版動作中ではないとき、即ち、サーマルヘッド２３によるマスタへの穿孔中ではないときに製版中断要因を発生して製版を中断した場合には、製版を再開することができると判定する（Ｓ５２３／ＹＥＳ）。
【０１６３】
Ｓ５２３の処理において、製版再開判定部２１１が製版を再開することができないと判定した場合には（Ｓ５２３／ＮＯ）、画像形成装置１は、製版中のマスタを排版ボックス４２に破棄して（Ｓ５２８）待機状態に遷移し（Ｓ５２９）、製版を終了する。一方、Ｓ５２３の処理において、製版再開判定部２１１が製版を再開することができると判定した場合には（Ｓ５２３／ＹＥＳ）、画像形成装置１は製版を再開するための指示を受け付けるための状態に遷移する（Ｓ５２４）。
【０１６４】
そして、画像形成装置１は、ユーザによる操作パネル８０の直接操作や画像形成装置１に接続されている外部装置から、製版を再開するための指示を受け付けると（Ｓ５２５）、製版再開位置検知部２１３は、動作履歴記憶部２０６に記憶されている製版中断時の動作履歴、又は、製版中断時点において分割領域製版終了記憶部２０５に記憶された分割領域製版確定処理部２０４が最後に確定した分割領域に基づいて、製版が中断したときのマスタの位置、即ち、製版を再開するときのマスタの位置を検知する（Ｓ５２６）。
【０１６５】
そして、製版再開位置調整部２１４がＳ５２６の処理で検知された製版再開位置にマスタを搬送し、画像形成装置１は製版を再開する（Ｓ５２７）。画像形成装置１が製版を再開した後は、Ｓ５１３の処理から後の処理と同様の処理が行われる。即ち、本実施形態に係る画像形成装置１は、製版中断後の製版の再開において、製版中断時点で既に製版を終了している分割領域の次の分割領域から製版を再開することができる。
【０１６６】
尚、Ｓ５２７の処理における製版の再開時には、製版再開位置調整部２１４は、マスタを搬送するステッピングモータ２９が停止状態から定速で駆動する状態になるまでの間にマスタが搬送される長さを考慮して、その分だけ余分に搬送方向とは反対方向にマスタを搬送しておく。
【０１６７】
次に、本実施形態に係る画像形成装置１における製版中に電源遮断が発生した場合の処理について図８を参照して説明する。図８は、本実施形態に係る画像形成装置１における製版中に電源遮断が発生した場合の処理を説明するためのフローチャートである。図８に示すように、本実施形態に係る画像形成装置１が製版を開始する際にはまず、図５において説明したＳ５０１と同様の処理を行う（Ｓ８０１）。
【０１６８】
そして、画像形成装置１は図５において説明したＳ５０２と同様の処理を行い（Ｓ８０２）、分割可否判定部２０３が原稿画像を画像有領域と画像無領域とに分割することができないと判定すると（Ｓ８０２／ＮＯ）、製版を開始する（Ｓ８０３）。
【０１６９】
画像形成装置１は製版を開始してから（Ｓ８０３）、電源遮断を発生することなく（Ｓ８０４／ＮＯ）製版を終えた場合には（Ｓ８０５）、印刷待状態に遷移し（Ｓ５０６）、製版を終了する。
【０１７０】
一方、画像形成装置１は、製版中に電源遮断が発生し（Ｓ８０４／ＹＥＳ）、電源が再度投入されたら（Ｓ８０７）、製版中に電源遮断が発生したことをユーザに報知して（Ｓ８０８）、復帰動作を行う（Ｓ８０９）と共に、製版中のマスタを排版ボックス４２に破棄して（Ｓ８１０）待機状態に遷移し（Ｓ８１１）、製版を終了する。尚、Ｓ８０８の処理における電源再投入時のユーザへの報知は、Ｓ５０９の処理と同様に行われる。
【０１７１】
一方、Ｓ８０２の処理において、分割可否判定部２０３が原稿画像を画像有領域と画像無領域とに分割することができると判定すると（Ｓ８０２／ＹＥＳ）、画像形成装置１は、図５において説明したＳ５１３と同様の処理で製版を開始し（Ｓ８１２）、電源遮断を発生することなく（Ｓ８１３／ＮＯ）製版を終えた場合には（Ｓ８０５）、印刷待状態に遷移し（Ｓ８０６）、製版を終了する。
【０１７２】
また、画像形成装置１は、製版中に電源遮断を発生し（Ｓ８１３／ＹＥＳ）、電源が再度投入されたら（Ｓ８１４）、製版中に電源遮断が発生したことをユーザに報知して（Ｓ８１５）、復帰動作を行う（Ｓ８１６）。
【０１７３】
そして画像形成装置１が復帰動作を終了すると、製版再開判定部２１１は、動作履歴記憶部２０６に記憶されている電源遮断時の動作履歴に基づいて製版を再開することができるか否か判定する（Ｓ８１７）。即ち、Ｓ８１７の処理において、製版再開判定部２１１は、画像形成装置１が画像有領域の製版動作中、即ち、サーマルヘッド２３によるマスタへの穿孔中に電源遮断を発生して製版を中断した場合には、製版を再開することができないと判定する（Ｓ８１７／ＮＯ）。
【０１７４】
一方、Ｓ８１７の処理において、製版再開判定部２１１は、画像形成装置１が画像有領域の製版動作中ではないとき、即ち、サーマルヘッド２３によるマスタへの穿孔中ではないときに電源遮断を発生して製版を中断した場合には、製版を再開することができると判定する（Ｓ８１７／ＹＥＳ）。
【０１７５】
Ｓ８１７の処理において、製版再開判定部２１１が製版を再開することができないと判定した場合には（Ｓ８１７／ＮＯ）、画像形成装置１は、製版中のマスタを排版ボックス４２に破棄して（Ｓ８２２）待機状態に遷移し（Ｓ８２３）、製版を終了する。一方、Ｓ８１７の処理において、製版再開判定部２１１が製版を再開することができると判定した場合には（Ｓ８１７／ＹＥＳ）、画像形成装置１は製版を再開するための指示を受け付けるための状態に遷移する（Ｓ８１８）。
【０１７６】
そして、画像形成装置１がユーザによる操作パネル８０への直接操作や画像形成装置１に接続されている外部装置から、製版を再開するための指示を受け付けると（Ｓ８１９）、製版再開位置検知部２１３は、動作履歴記憶部２０６に記憶されている電源遮断時の動作履歴、又は、電源遮断時点において分割領域製版終了記憶部２０５に記憶された分割領域製版確定処理部２０４が最後に確定した分割領域に基づいて、電源遮断が発生したときのマスタの位置、即ち、製版を再開するときのマスタの位置を検知する（Ｓ８２０）。
【０１７７】
そして、製版再開位置調整部２１４は、Ｓ８２０で検知された製版再開位置にマスタを搬送して製版を再開する（Ｓ８２１）。製版を再開した後は、Ｓ８１２の処理から後の処理と同様の処理が行われる。即ち、本実施形態に係る画像形成装置１は、電源遮断後の製版動作の再開において、電源遮断時点で既に製版を終了している分割領域の次の分割領域から製版を再開することができる。
【０１７８】
尚、Ｓ８２１の処理における製版の再開時には、製版再開位置調整部２１４は、マスタを搬送するステッピングモータ２９が一定の駆動速度に到達するまでにマスタが搬送される長さを考慮して、その分だけ余分に搬送方向とは反対方向にマスタを搬送しておく。
【０１７９】
以上、説明したように、このように構成された画像形成装置において、本実施形態に係る要旨の一つは、まず、原稿画像を副走査方向に画像有領域と画像無領域とに分割することが可能か否かを判定し、可能な場合には分割された領域毎に製版を行う。そして、画像有領域の製版動作中（穿孔中）に製版中断要因が発生した場合であっても、その中断要因が製版に関係しない中断要因であれば即座に製版を中断するのではなく、製版中断要因発生時において製版中の分割領域（画像有領域）の残りの部分について最後まで製版動作（穿孔）を行ってから製版を中断することにある。
【０１８０】
即ち、本実施形態に係る画像形成装置１は、画像有領域の製版動作中（穿孔中）に製版中断要因が発生した場合であっても、その中断要因が製版に関係しない中断要因であれば、製版中断要因発生時において製版中の分割領域（画像有領域）については最後まで製版動作（穿孔）を行ってから製版を中断するので、復帰後に製版中断時の状態から製版を再開した場合であっても、既に製版を終了している分割領域の次の分割領域の先頭から製版を再開することができる。
【０１８１】
従って、本実施形態に係る画像形成装置１によれば、製版中に製版中断要因が発生したことによる中断状態からの復帰後に、製版中断時の状態から製版を再開した場合であっても、分割領域の途中から製版が再開されることがないため、完成した製版マスタの画像部分に不連続な部分を生じることがなく、製版マスタの品質を保証することができる。
【０１８２】
また、本実施形態に係る画像形成装置１によれば、画像有領域の製版動作中（穿孔中）に製版中断要因が発生したとしても、その中断要因が製版に関係しない中断要因である場合に限り、製版中断要因発生時において製版中の分割領域（画像有領域）について最後まで製版動作（穿孔）を行ってから製版を中断するので、画像形成装置１に損傷やダメージを与えることなく製版中断要因発生時において製版中の分割領域（画像有領域）について最後まで製版を継続することができる。
【０１８３】
また、このように構成された画像形成装置において、本実施形態に係る他の要旨の一つは、画像有領域の製版動作中（穿孔中）に製版中断要因が発生した場合、その中断要因が製版に関係する中断要因であったり、製版中断要因発生時において製版中の分割領域（画像有領域）の残りの部分が多すぎたりする等の理由により、製版中断要因発生時において製版中の分割領域（画像有領域）について最後まで製版動作（穿孔）を行うことが不可能である場合には即座に製版を中断して、復帰後に製版中であったマスタを破棄することにある。
【０１８４】
従って、本実施形態に係る画像形成装置１によれば、画像有領域の製版動作中（穿孔中）に製版を中断した場合には、復帰後に製版中断時の状態から製版を再開したとしても、完成した製版マスタの画像部分には製版が中断されたことによる不連続な部分が生じてしまって製版マスタの品質が低下してしまい、結果的に製版を最初からやり直すことになるといったことを防ぐことができる。即ち、本実施形態に係る画像形成装置１によれば、画像有領域の製版動作中（穿孔中）に製版を中断した場合には、復帰後に製版中断時の状態から製版を再開したとしても、結果的に製版を最初からやり直すことになるので、それ以上製版を行わず、また、破棄されるマスタは製版済みの部分だけなので、製版時間と製版コストとの無駄を低減させることができる。
【０１８５】
さらに、上記のような画像形成装置１において、本実施形態に係る他の要旨の一つは、製版中に電源が遮断されて製版が中断され、その後に電源が再投入されたら、電源遮断時に画像有領域の製版動作中（穿孔中）であったか画像無領域の製版動作中（非穿孔中）であったかを判定し、画像無領域の製版動作中（非穿孔中）であった場合には電源遮断時の状態から製版を再開し、画像有領域の製版動作中（穿孔中）であった場合には速やかに製版中であったマスタを破棄することにある。
【０１８６】
従って、本実施形態に係る画像形成装置１によれば、製版中の電源遮断時に画像無領域の製版動作中（非穿孔中）であった場合に限り、電源が再投入された後に電源遮断時の状態から製版を再開するので、完成した製版マスタの画像部分に不連続な部分を生じることがなく、製版マスタの品質を保証することができる。
【０１８７】
また、本実施形態に係る画像形成装置１によれば、製版中の電源遮断時に画像有領域の製版動作中（穿孔中）であった場合には、電源が再投入された後に電源遮断時の状態から製版を再開したとしても、完成した製版マスタの画像部分には製版が中断されたことによる不連続な部分が生じてしまって製版マスタの品質が低下してしまい、結果的に製版を最初からやり直すことになるといったことを防ぐことができる。即ち、本実施形態に係る画像形成装置１によれば、製版中の電源遮断時に画像有領域の製版動作中（穿孔中）であった場合には、電源の再投入後に電源遮断時の状態から製版を再開したとしても、結果的に製版を最初からやり直すことになるので、それ以上製版を行わず、また、破棄されるマスタは製版済みの部分だけなので、製版時間と製版コストとの無駄を低減させることができる。
【０１８８】
尚、本実施形態においては、マスタ２７が副走査方向に搬送されることにより、固定されたサーマルヘッド２３がマスタ２７に対して走査する例について説明したが、サーマルヘッド２３がマスタ２７の穿孔面に対して平行を保ちながら副走査方向に移動することにより、マスタ２７に対して走査するように構成されていても良い。
【０１８９】
また、本実施形態においては、サーマルヘッド２３の穿孔部（発熱素子）がマスタ２７と略同一の幅であり、マスタ２７が副走査方向に搬送されることにより、固定されたサーマルヘッド２３がマスタ２７に対して副走査方向に走査することで穿孔製版が行われる例、即ち、主走査方向についてはその全範囲が一括して穿孔製版が行われる例について説明したが、サーマルヘッド２３が主走査方向の一部に対してのみ穿孔製版を行う機能を有しており、そのサーマルヘッド２３が主走査方向にも移動することにより穿孔製版が行われるように構成されていても良い。
【０１９０】
また、本実施形態においては、サーマルヘッド２３は主走査方向に対して平行に横架されて取り付けられ、マスタ２７が副走査方向に搬送されることにより穿孔製版が行われる例について説明したが、サーマルヘッド２３が副走査方向に対して平行に横架されて取り付けられ、マスタ２７が主走査方向に搬送されることにより穿孔製版が行われる構成としても良い。
【０１９１】
また、この場合、マスタ２７が主走査方向への搬送されることにより、固定されたサーマルヘッド２３がマスタ２７に対して主走査方向に走査することで穿孔製版が行われるように構成されても良いし、サーマルヘッド２３がマスタ２７の穿孔面に対して平行を保ちながら主走査方向に移動することにより、マスタ２７に対して主走査方向に走査するように構成されていても良い。
【０１９２】
さらに、この場合、副走査方向についてはその全範囲が一括して穿孔製版が行われるように構成されても良いし、サーマルヘッド２３が副走査方向の一部に対してのみ穿孔製版を行う機能を有しており、そのサーマルヘッド２３が副走査方向にも移動することにより穿孔製版が行われるように構成されていても良い。
【０１９３】
また、本実施形態においては、図５における製版中断要因発生時の処理と図８における電源遮断発生時の処理とを便宜上、別々に説明したが、これらの処理を組み合わせて構成しても同様の効果が得られる。即ち、このような組み合わせにおいて、製版中断要因は発生しなかったが、電源遮断が発生した場合の処理は、図８において説明され、反対に、電源遮断は発生しなかったが製版中断要因が発生した場合の処理は、図５において説明される。一方、製版中断要因の発生もなく電源遮断の発生もない場合の処理は、図５でも図８でも同様に説明される。
【符号の説明】
【０１９４】
１  画像形成装置
２  印刷部
３  製版部
４  給紙部
５  排版部
６  排紙部
７  原稿読取部
８  装置本体
９  版胴
９ａ  多孔性支持板
１０  インキ供給手段
１１  プレスローラ
１２  支軸
１３  フランジ
１４  ステージ部
１５  クランパ
１６  インキローラ
１７  ドクターローラ
１８  インキ溜まり
１９  プレスローラアーム
２０  プレスローラ軸
２１  マスタ貯容部材
２１ａ  マスタロール保持部材
２１ｂ  支持部材
２２  プラテンローラ
２３  サーマルヘッド
２４  切断手段
２４ａ  固定刃
２４ｂ  稼働刃
２５  マスタ搬送ローラ対
２５ａ  駆動ローラ
２５ｂ  従動ローラ
２６  マスタ搬送ローラ対
２６ａ  駆動ローラ
２６ｂ  従動ローラ
２７  マスタ
２８  マスタロール
２９  ステッピングモータ
３０  マスタガイド板
３１  マスタガイド板
３２  給紙トレイ
３３  給紙ローラ
３４  分離ローラ
３５  分離ころ
３６  レジストローラ対
３６ａ  駆動ローラ
３６ｂ  従動ローラ
３７  用紙サイズ検知センサ
３８  サイドフェンス
３９  ステッピングモータ
４０  上排版部材
４１  下排版部材
４２  排版ボックス
４３  圧縮板
４４  駆動ローラ
４５  従動ローラ
４６  無端ベルト
４７  駆動ローラ
４８  従動ローラ
４９  無端ベルト
５０  使用済みマスタ
５１  剥離爪
５１ａ  支軸
５２  排紙搬送部材
５３  排紙トレイ
５４  駆動ローラ
５５  従動ローラ
５６  無端ベルト
５７  吸引ファン
５８  サイドフェンス
５９  エンドフェンス
６０  原稿
６１  原稿載置台
６２  コンタクトガラス
６３  原稿搬送ローラ対
６４  原稿搬送ローラ
６５  原稿ガイド板
６６  原稿ガイド板
６７  原稿搬送ベルト
６８  原稿トレイ
６９  圧板
７０  反射ミラー
７１  反射ミラー
７２  蛍光灯
７３  走査ユニット
７４  レンズ
７５  画像センサ
７６  原稿検知センサ
７７  原稿サイズ検知センサ
７８  ステッピングモータ
７９  ステッピングモータ
８０  操作パネル
８１  製版スタートキー
８２  印刷スタートキー
８３  試し刷りキー
８４  連続キー
８５  クリア／ストップキー
８６  テンキー
８７  エンターキー
８８  プログラムキー
８９  モードクリアキー
９０  印刷速度設定キー
９１  ４方向キー
９１ａ  上キー
９１ｂ  下キー
９１ｃ  左キー
９１ｄ  右キー
９２  表示装置
９３  表示装置
９３ａ  原稿種類設定表示
９３ｂ  変倍設定表示
９３ｃ  用紙種類設定表示
９３ｄ  位置調整設定表示
９４  選択設定キー
９５  選択設定キー
９６  選択設定キー
９７  選択設定キー
１００  コントローラ
１０１  ＣＰＵ
１０２  ＲＯＭ
１０３  ＲＡＭ
１０４  補助記憶装置
１０５  Ｉ／Ｆ
１０６  バス
２００  制御部
２０１  原稿画像取得部
２０２  原稿画像記憶部
２０３  分割可否判定部
２０４  分割領域製版確定処理部
２０５  分割領域製版終了記憶部
２０６  動作履歴記憶部
２０７  製版中断要因判定部
２０８  製版領域判定部
２０９  継続製版判定部
２１０  継続製版制御部
２１１  製版再開判定部
２１２  製版再開制御部
２１３  製版再開位置検知部
２１４  製版再開位置調整部
【先行技術文献】
【特許文献】
【０１９５】
【特許文献１】特開２００３−３４１２１１号公報
【図１】
2013193414.tif 000003
【図２】
2013193414.tif 000004
【図３】
2013193414.tif 000005
【図４】
2013193414.tif 000006
【図５】
2013193414.tif 000007
【図８】
2013193414.tif 000008
【図６】
2013193414.tif 000009
【図７】
2013193414.tif 000010